Podtech/llm-jp-corpus-v4-ja_patent huggingface dataset:
(57)【要約】【課題】本案件は、ライマビーンが収穫後豆自身の中で青酸化合物が自然に生成され増加されていく特性があり、規定量以上の青酸化合物は食用することは危険なため、輸入、流通できるあるいは食用できるライマビーンの青酸化合物含有量の限界値が食品衛生法上定められ、ライマビーンが輸入、流通、食用できる期間は収穫後が限られる欠点があるため、ライマビーンの乾豆の青酸化合物含有量を減らす。【解決手段】本案件は、ライマビーンの青酸化合物含有量が多い部位である皮をむきライマビーンの青酸化合物含有量を減らす。【選択図】図２
0003106629.tif 000002
【実用新案登録請求の範囲】
【請求項１】
青酸化合物を含有する米国産ベビーライマ豆、ミャンマー産バター豆に代表されるライマビーンを乾燥させて生産加工する乾豆の生産加工段階において、青酸化合物を多く含む皮部を除去し、ライマビーンの皮を除き青酸化合物含有量を減少させた形態の乾豆。
【考案の詳細な説明】
【技術分野】
【０００１】本案は豆を乾燥させた乾豆に関するものである。
【背景技術】
【０００２】ライマビーンの乾豆は生豆に比べ保存性が高く、輸送し易く、調理し易く、食用し易いため広く消費者に受け入れられている。しかし、ライマビーンは収穫後豆自身の中で青酸化合物が自然に生成され増加されていく特性があり、規定量以上の青酸化合物は食用することは危険なため、輸入、流通できるあるいは食用できるライマビーンの青酸化合物含有量を示すＨＣＮの限界値が５００ＰＰＭと食品衛生法上定められ、ライマビーンが輸入、流通、食用できる期間は収穫後限られてきた。
【考案の開示】
【考案が解決しようとする課題】
【０００３】ライマビーンは収穫後豆自身の中で青酸化合物が自然に生成され増加されていく特性があり、規定量以上の青酸化合物は食用することは危険なため、輸入、流通できるあるいは食用できるライマビーンの青酸化合物含有量の限界値が５００ＰＰＭと食品衛生法上定められ、ライマビーンが輸入、流通、食用できる期間は収穫後限られる欠点があった。本案は、この欠点を解消するためになされたものである。
【課題を解決するための手段】
【０００４】ライマビーンの青酸化合物含有量が多い部位である皮をむきライマビーンの青酸化合物含有量を減らす。ライマビーンから青酸化合物含有量が多い皮をむいた形態の乾豆とすることにより問題点を解決している。
【考案の効果】
【０００５】一般に食用餡の材料として広く普及するライマビーン青酸化合物含有量が減ることにより、収穫後の期間に限らず安定して安心できるライマビーン輸入、流通できるようになりそして食用できるようになる。
【考案を実施するための最良の形態】
【０００６】ライマビーンの青酸化合物含有量の多い部位である皮をミル（製粉機・精米機）により皮をむくことにより、青酸化合物含有量が減った状態となる。
【実施例】
【０００７】以下添付図面に従って実施例を説明する。ライマビーンの代表品種であるミャンマー産バター豆にて、青酸化合物含有量を示めすＨＣＮ量は皮付きの図１の状態で５９０ＰＰＭであったが、皮むき豆の図２の状態では食品衛生法上の限界値である５００ＰＰＭをはるかに下回る２９８．１ＰＰＭと非常に低い値となり、輸入、流通できるあるいは食用できる乾豆となる。
【産業上の利用可能性】
【０００８】本案はライマビーンの青酸化合物含有量を管理し減らした乾豆に関する新しい形態であり新製品として製餡業界などから新しい需要を創造し、停滞するわが国和菓子業界の発展に寄与する。
【図面の簡単な説明】
【図１】 
【０００９】ライマビーンの皮がついた状態の乾豆の図である【図２】 
【００１０】ライマビーンの皮をむいた状態の乾豆の図である。
【符号の説明】
【００１１】１  皮
２  皮むき
【図１】
0003106629.tif 000003
【図２】
0003106629.tif 000004
(57)【要約】      （修正有）【課題】ヘアーをカットする時に、鋏等別な刃物を使用しなくても、ブラシでヘアーをすく事により、簡単にヘアーのカットが出来るようにするヘアーカットブラシを提供する。【解決手段】ヘアーブラシ本体１の硬質毛２の中に、刃物受け台４を設けその上に、刃物３を取り付ける。前述の手段を構じたので、使用に際しては、ヘアーカットブラシでヘアーをすくだけで、ヘアーのカットが出来る。【選択図】図１
0003106630.tif 000002
【実用新案登録請求の範囲】
【請求項１】
ヘアーブラシ本体（１）の硬質毛（２）の中に刃物受け台（４）を設けその上に刃物（３）を取り付けたヘアーカットブラシ。
【考案の詳細な説明】
【技術分野】
【０００１】  本考案は、ヘアーブラシ本体の硬質毛の中に、刃物受け台を設けその上に、刃物を取り付けたヘアーカットブラシ。
【背景技術】
【０００２】  従来は、ヘアーをカットする時に、ブラシや櫛ですきながら、鋏等別な刃物でヘアーをカットするので不便である。
【考案が解決しょうとする課題】
【０００３】  本考案は、ヘアーをカットする時に、鋏等別な刃物を使用しなくても、ブラシでヘアーをすく事により、簡単にヘアーのカットが出来るようにする目的。
【考案が解決するための手段】
【０００４】  本考案は、ヘアーブラシ本体の、硬質毛の中に刃物受け台を設け、その上に刃物を取り付けて、取り付けたヘアーブラシでヘアーをすく事により、簡単にヘアーのカットが、出来るように講じたものである。
【考案を実施するための最良の形態】
【０００５】  本考案は、前述の手段を構じたので、使用に際しては、ヘアーカットブラシでヘアーをすくだけで、ヘアーのカットが出来る。
【図面の簡単な説明】
【図１】  ヘアーブラシ本体の硬質毛の中に、刃物受け台を設け、刃物を取り付けた全体図
【図２】  ヘアーブラシ本体の硬質毛の中に、刃物受け台を設け、刃物を取り付けた横の断面図
【図３】  ヘアーブラシ本体の硬質毛の中に、刃物受け台を設け、その上に刃物を取り付けた縦からの断面図
【符号の説明】
１・・・ヘアーブラシ本体
２・・・硬質毛
３・・・刃物
４・・・刃物受け台
【図１】
0003106630.tif 000003
【図２】
0003106630.tif 000004
【図３】
0003106630.tif 000005
(57)【要約】      （修正有）【課題】熟練者でなくともパテ磨きが上手にできるようなサンドペーパーの支持台を提供する。【解決手段】比較的硬い弾性材料からなる２枚の板１ａ、１ｂの間に比較的軟らかい弾性材料のスポンジ層２を挟んで成る。サンドペーパー３は裏面に粘着剤を塗布したものを用い、粘着面を一方の板に張り付ける。【選択図】図２
0003106613.tif 000002
【実用新案登録請求の範囲】
【請求項１】
比較的硬い弾性材料からなる２枚の板の間に比較的軟らかい弾性材料のスポンジ層を挟んで成り、該板に張ったサンドペーパーで被研磨面を擦るようにしたサンドペーパーの支持台。
【請求項２】
２枚の該板の厚みに差異を設けた請求項１に記載のサンドペーパーの支持台。
【考案の詳細な説明】
【技術分野】
【０００１】
本考案は、サンドペーパーを張り付ける台に関し、自動車等の板金塗装工程で修理面に塗ったパテを磨ぐのに好適なものである。
【背景技術】
【０００２】
衝突事故等で自動車のボディやバンパーにできた凹凸を修復するには、鉄板をハンマーで叩いたり、ウレタンバンパーの場合は熱を加えたりして、てできるだけ元の形状に近づけた後、表面を荒らしてパテ（ウレタンパテ）を塗り、硬化したパテをサンドペーパー（紙やすり）で磨いで滑らかにし、塗装を行う。
【０００３】
パテ磨ぎの際、サンドペーパーは従来、弾力性材料（例えば発泡ポリウレタン）でできた支持台に張り付けて使用していた。しかし従来の支持台は、指がかかっている個所に力が集中して、力が台に均等に加わらないため平坦な仕上げが難しいという欠点があった。
【考案の開示】
【考案が解決しようとする課題】
【０００４】
この考案は、サンドペーパーの支持台を改良して、熟練者でなくとも、パテ磨ぎが上手にできるようにすることを課題とする。
【課題を解決するための手段】
【０００５】
この発明のサンドペーパーの支持台は、比較的硬い弾性材料（例えば発泡ポリウレタン）からなる２枚の板の間に比較的軟らかい弾性材料のスポンジ層を挟んである。
【０００６】
使用するときは、片方の板にサンドペーパーを張り付け、反対側の板を掴むようにして、サンドペーパーを被研磨面にあてがい、たわしの要領で、繰り返し擦る。このものでは、板を掴んでいる指の力がスポンジ層で分散されるので、サンドペーパー側の板に力が均等に加わり、研磨面を滑らかに仕上げることができる。
【０００７】
２枚の板は同じ厚みにしてもよいが、一方を厚く、他方を薄くしてもよい。薄い方は、曲がりやすいので、研磨面の曲面がきついとき、これにサンドペーパーを張り付ける。厚い方は曲がりにくいので、研磨面の曲面が緩いときに使用する。
【考案を実施するための最良の形態】
【０００８】
この支持台は、手のひらに収まるほどの大きさの弾性材料でできたブロックであり、図１に示すように、２枚の板１ａ、１ｂの間にスポンジ層２を挟んだ構造になっている。２枚の板およびスポンジ層はいずれも発泡ポリウレタンでできているが、２枚の板１ａ、１ｂは、スポンジ層２に比べて気泡が少なく硬くできている。
【０００９】
サンドペーパー３は裏面に粘着剤３ａを塗布したものを用い、粘着面を片方の板１ｂに張り付ける。こうして、図２に示すように、もう一方の板１ａの周囲を手で掴み、サンドペーパー３を被研磨面５に軽く押し付けるようにして繰り返し磨ぐ。このとき大切なことは、サンドペーパー３が張り付いた方の板１ｂに、指がかからないように注意する。こうすれば、板１ａを掴んでいる指の力がスポンジ層２で分散されるので、サンドペーパー側の板１ｂに力が均等に加わり、研磨面を滑らかに仕上げることができる。
【００１０】
２枚の板の厚みは、同じでもよいが、図のように差を設けることもできる。差を設ける場合は、薄い方の板１ｂは比較的曲がりやすいので、被研磨面のカーブがきついとき、この薄いほうにサンドペーパーを取り付けて使用する。カーブが緩いときは、厚い方の板１ａにサンドペーパーを張るようにする。
【図面の簡単な説明】
【００１１】
【図１】支持台の斜視図である。
【図２】支持台の使用状体断面図である。
【符号の説明】
【００１２】
１ａ、１ｂ  板
２    スポンジ層
３    サンドペーパー
【図１】
0003106613.tif 000003
【図２】
0003106613.tif 000004
(57)【要約】      （修正有）【課題】得点、ゲーム数の数値を並べてあらかじめ記載した薄い平板上で、現在の得点、ゲーム数をクリップを移動させて指し示すことにより、得点の表示を行うものである。卓球の試合で従来から使用されている多数のカードを綴じた得点表示器の容積のかさばりや、カードを綴じるために設けた穴の部分の強度上の弱点の発生を防ぎ、カード同士の湿気等での密着等によるカウントミスも防止する。【解決手段】数値を記載した紙等適宜素材シート１及びそれをラミネートする透明樹脂等適宜素材シート２を、クリップ上の目印４，５，６，７で挟み、得点、得ゲーム数を表示するものである。審判は得点、得ゲーム数に応じてクリップ状の目印をつまんで移動して使用する。【選択図】図１
0003106779.tif 000002
【実用新案登録請求の範囲】
【請求項１】
数字をあらかじめ並べて記載した平板上をクリップ状の目印を移動させることによって得点を表示する卓球用得点表示器。
【考案の詳細な説明】
【技術分野】
【０００１】  本考案は数字を記載した平板の上をクリップを移動させることによって得点を表示する卓球用得点表示器に関するものである。
【背景技術】
【０００２】  両面に数値を記載した多数のカード（４０〜６０枚程度で１組）に穴を空けて、別の板（または中空の三角柱等）と綴じ合わせたものを得点に応じてめくることにより卓球の試合の得点を表示していた。
【考案の開示】
【考案が解決しようとする課題】
【０００３】  多数のカードを綴じた得点表示器は容積がかさばり、多数の表示器の携帯・輸送に不便であった。また、カードを綴じるために設けた穴の部分が強度上の弱点であり、穴から破口が広がってカードが破れ、使用に支障を来す場合も生じた。さらに卓球のルールでは最終ゲームでいずれかの選手が５本先取した時点でコートチェンジ（審判から見て左右の選手のお互いの位置の入れ替え）を行う。その際、カードを綴じた得点板の場合では、コートチェンジに応じて得点もめくり直して左右を入れかえるか、あるいは得点板全体を逆向きにし、カードをめくり上げる向きも逆にする対応をせねばならず、得点カウントミスの原因となる場合もあった。カード同士が湿気等で密着し、審判が２枚以上のカードをまとめてめくり上げてしまうミスを生ずる場合もあった。
【課題を解決するための手段】
【０００４】  本考案は、得点、ゲーム数の数値を並べてあらかじめ記載した薄い平板上で、現在の得点、ゲーム数をクリップを移動させて指し示すことにより、得点の表示を行うものである。
【考案の効果】
【０００５】  薄い平板の得点表示器であるため、多くの枚数を重ねて保管でき、携帯・輸送時のかさばりの問題を解決している。また、多数のカードを綴じた得点表示器の場合のカードの綴じ穴のような強度上の弱点が無く、破口の発生等により使用に支障を来す可能性が小さい。最終ゲームのコートチェンジの際には、得点板を裏返しにするだけでそのままカウント続行可能であり、得点カウントミスの生ずる恐れが小さい。カードを綴じた得点表示器の場合のようにカード同士が湿気等で密着して審判が２枚以上まとめてめくりあげてしまうミスも生じない。
【考案を実施するための最良の形態】
【０００６】  紙等適宜素材シートの両面に得点及び得ゲーム数を表示するための数字を並べて記載する。シート左右端の縦方向には得点表示のための数値を０〜２０程度まで２列に分けて記載する。この２列の数字が対戦者それぞれの得点を表示するための数字となる。シート上端の横方向には得ゲーム数表示のための数値を横に並べて０〜４程度まで左右２ヶ所に分けて記載する。この２ヶ所の数字が対戦者それぞれの得ゲーム数を表示するための数字となる。裏面にも表面と同じ位置に同じ数値を記載する。数値を記載したシートは透明樹脂等適宜素材のシートでラミネートする。ラミネートしたシートの上からクリップ状の目印を４ヶ所につけ、対戦する各選手の得点及び得ゲーム数の表示を行う。ゲーム開始時は両選手とも得点０、得ゲーム数０の位置に目印をつける。審判は試合の進行に伴い各選手に得点、得ゲーム数があるのに応じて目印を移動し表示を行う。
【実施例】
【０００７】  以下、添付図面に沿って実施例を説明する。１，２，３は数値を記載した紙等適宜素材シート及びそれをラミネートする透明樹脂等適宜素材シート、４，５，６，７，は得点及び得ゲーム数を表示するためのクリップ状の目印である。ラミネート構造の１，２，３をクリップ状の目印で挟んでいる。審判は得点、得ゲーム数に応じてクリップ状の目印をつまんで移動し、試合状況の表示を行う。図１の例ではゲームカウント３対３、第７ゲーム目の得点が５対１であることを示し、向かって左の選手が優勢に試合を進めている。【０００８】  最終ゲームでいずれかの選手が５本を得点し、コートチェンジ（審判から見て選手お互いのコートの左右入れ替え）を行った場合には審判は得点板を裏返し、そのままカウントを続行できる。図２は図１を裏面から見たもので、向かって右の選手がゲームカウント３対３、第７ゲーム目の得点が５対１で優勢に試合を進めている形となり、ちょうど図１と左右反対の表示、コートチェンジ後の表示ができていることとなる。【０００９】  図３は得点表示器の断面図である。透明樹脂等適宜素材シートにより、数値を記載した紙等適宜素材シートをラミネートし、得点表示器全体にある程度の剛性をもたせ、審判が片手でも容易に保持・使用できるようにする。
【図面の簡単な説明】
【００１０】
【図１】  本考案の得点表示器の実施例を示す正面図である。
【図２】  本考案の得点表示器の実施例を示す背面図である。
【図３】  本考案の得点表示器の実施例を示す断面図である。
【符号の説明】
【００１１】  １  数値を記載したシート
２  透明シート
３  透明シート
４  クリップ状目印（得点表示用）
５  クリップ状目印（得点表示用）
６  クリップ状目印（得ゲーム数表示用）
７  クリップ状目印（得ゲーム数表示用）
【図１】
0003106779.tif 000003
【図２】
0003106779.tif 000004
【図３】
0003106779.tif 000005
(57)【要約】【課題】  本考案はかばん本体にフック掛を設け、カート（ショッピングカー）用のかごと手提げ袋（ビニル）の代わりに使用するエコバック。【解決手段】  本考案はかばん左・右上部分のフックを利用してカートに掛けることは勿論、フックの両部分は透明なプラスチックカバーがあり、名札にも使えて商号、ロゴなどを入れることで広告・宣伝にもなる。また、一回用手提げ袋（ビニル）使用を抑える効果になり環境問題にも一環として役立つ。【選択図】  図１
0003106724.tif 000002
【実用新案登録請求の範囲】
【請求項１】
かばん（エコバッグで称する）の左・右上部にフックを設け、買物用カートを使用する時は左・右上部にフックを掛け固定して使うともに買い物が終ったら買物用がばんとして使用して普段、使わない時は折り畳んで袋ケースに入れると携帯が便利な特徴とするエコバッグ
【考案の詳細な説明】
【技術分野】
【０００１】  本考案は、買物用カート（ショッピングカー）左・右上部分にフックを掛けた、かばんに関するものである。
【背景技術】
【０００２】  スーパーストア・マーケット、デパート等で買い物をする場合、買物カート用のかご及び買物用ビニル袋を使用していた。
【考案の開示】
【考案が解決しようとする課題】
【０００３】  かご、ビニル袋の使用による経済的負担も大きく、また、かごを置くスペースも必要になる。さらに、かごを整理し他の場所への移動は時間的、労働的負担である。従って、かごの機能とビニル袋の代わりに半永久的に使える機能を一体化することにより前述の欠点を解決しようとするものである。
【課題を解決するための手段】
【０００４】  本考案は、かばんの左・右上部分にフックを付着させ、カートにかける同時にかばんの入れ口が広くなることでかごの役割と手提げ袋の生地、ビニルを布等で変えることにより問題点を解決している。
【考案の効果】
【０００５】  上述の様に、本考案のかばん左・右上部分のフックを利用してカートに掛けることは勿論、フックの両部分は透明なプラスチックカバーがあり、名札にも使えて商号、ロゴなどを入れることで広告・宣伝にもなる。また、一回用手提げ袋（ビニル）使用を抑える効果になり環境問題にも一環として役立つ。
【考案の実施するための最良の形態】
【０００６】  本考案のかばんの中心部（入れ口）はマジックテープとゴムを設け、その面を外し開けて両方にあるフックを買物用カートの左・右上部分に掛け固定して使用したり、フックを掛け外すとゴムの力で中心部分が開閉自在となる。また、かばんを使用しないとき、丸く折り畳んで袋ケースに入れて携帯したり、保管が容易し、又、かばんの中には小銭袋もあり便利となる。
【実施例】
【０００７】  以下、添付図面に従って一実施例を説明する。１は耐水性のポリエステル等適宣素材にてできた本体、２はゴムバンドで構成になり入れ口の開閉自在となる。３はもち手、買い物重量で手の痺れや痛みを減らすため手で４の持つ部分は厚い布でカバーを付ける、５は名札入れで６のフックと一体化になり１２の買物用カート（ショッピングカー）左・右上部分に６のフックを掛けて固定して使用する。【０００８】  ６のフック内側には７の小銭入れ財布を付着させ便利を図ったり、買い物が済んだら２と８のマジックテープを合わせ付け、買い物の内容が出にくいようにする機能も付いている。【０００９】  本考案の一実施例は上述の如き構成からなるもので６はカート用フック掛けで５の部分を明細に述べると５ａの透明なプラスチックカバーがあり、そのカバー内側には５ｂの名札に商号およびロゴを入れて広告・宣伝にもなる。また、買物用かばん（エコバッグ）を使用しないときは４のもち手の部分と８のマジックテープを合わせつけ、かばん全体を丸く折り畳んで１１の袋ケースに入れ上部のひもを引く。
【図面の簡単な説明】
【００１０】
【図１】本考案の買物用かばん（エコバッグ）の一実施例を示す正面図である。
【図２】本考案をカート（ショッピングカー）に設けた状態の一実施例を示し図面である。
【図３】本考案のカート（ショッピングカー）用のフック掛を側面から見た図面である。
【図４】本考案を袋ケースに入れた状態の図面である。
【符号の説明】
【００１１】  １  かばん本体
２  ゴムバンド
３  もち手
４  もち手カバー
５  名札入れ
５ａ  透明プラスッチクカバー
５ｂ  商号、ロゴ入れ
６  フック掛け
７  小銭入れ財布
８  マジックテープ
９  袋ケース
【図１】
0003106724.tif 000003
【図２】
0003106724.tif 000004
【図３】
0003106724.tif 000005
【図４】
0003106724.tif 000006
(57)【要約】      （修正有）【課題】支持杆で支持できる商品の理解を容易にすることができるトルソーを提供する。【解決手段】立体トルソーを縦に半割りした形状を、別々に成型してなる表面型と、裏面型に、夫々鳩目を固着し、表面型と裏面型を合わせて立体型とし、その合わせ目を固定した中空立体トルソーである。【選択図】図１
0003106727.tif 000002
【実用新案登録請求の範囲】
【請求項１】
立体トルソーを縦に半割りした形状を、別々に成型してなる表面型と、裏面型に、夫々鳩目を固着し、前記表面型と裏面型を合わせて立体型とし、その合わせ目を固定したことを特徴とする中空立体トルソー。
【請求項２】
頂板と、底板を平行に形成した立体トルソーを縦に半割りした形状を、別々に成型してなる表面型と裏面型に、支持杆挿通用の鳩目を固着し、前記表面型と、裏面型を合わせて、立体型とし、その合わせ目を内外に重ね合わせ、重なり部を接着固定したことを特徴とする中空立体トルソー。
【請求項３】
トルソーはトランクス展示型であって、鳩目を、表面型と裏面型の脚部であって、支持杆を挿通できるように同一直線上へ設けたことを特徴とする請求項１又は２記載の中空立体トルソー。
【請求項４】
トルソーはトランクス展示型であって、鳩目を、表面型と裏面型の脚部と胴部であって、支持杆を挿通できるように同一直線上へ設けたことを特徴とする請求項１又は２記載の中空立体トルソー。
【考案の詳細な説明】
【技術分野】
【０００１】
この考案は衣服などを着用状態で展示することを目的とした中空立体トルソーに関する。
【背景技術】
【０００２】
従来各種形状の中空マネキン（トルソー）等が知られている。従来マネキンは、ブロー成型であって、中空の金型に空気と共に合成樹脂を流入させて前記合成樹脂を金型の内面に沿って成型させている。
【０００３】
また従来知られているトルソーは、スタンド方式又は吊り下げ方式であった。
【特許文献１】特開平９−７５１８７
【考案の開示】
【考案が解決しようとする課題】
【０００４】
前記従来のトルソーは、スタンド方式又は吊り下げ方式が一般的であって、支持杆に支持させる場合はなかった。何故ならば、ブロー成型のトルソーに支持杆を支持させるには、その挿通孔に鳩目を固定しなければ、安定支持ができなかったからである。
【０００５】
然るに、中空立体トルソーへ鳩目を設けるには、多大の費用と労力が掛る問題点があった。
【課題を解決するための手段】
【０００６】
この考案は、立体中空トルソーを縦に半割りした状態で表面型と裏面型に成型し、該表面型と裏面型の適所へ鳩目を設けた後、表面型と裏面型を合わせて固着することにより、鳩目付きの立体トルソーを廉価容易に得ることに成功したものである。
【０００７】
即ちこの発明は、立体トルソーを縦に半割りした形状を、別々に成型してなる表面型と、裏面型に、夫々鳩目を固着し、前記表面型と裏面型を合わせて立体型とし、その合わせ目を固定したことを特徴とする中空立体トルソーであり、頂板と、底板を平行に形成した立体トルソーを縦に半割りした形状を、別々に成型してなる表面型と裏面型に、支持杆挿通用の鳩目を固着し、前記表面型と、裏面型を合わせて、立体型とし、その合わせ目を内外に重ね合わせ、重なり部を接着固定したことを特徴とする中空立体トルソーである。
【０００８】
また、他の考案は、トルソーはトランクス展示型であって、鳩目を、表面型と裏面型の脚部であって、支持杆を挿通できるように同一直線上へ設けたものであり、トルソーはトランクス展示型であって、鳩目を、表面型と裏面型の脚部と胴部であって、支持杆を挿通できるように同一直線上へ設けたものである。
【０００９】
前記考案によれば、鳩目付きの立体トルソーを容易に成型できるので、支持杆で堅固に支持することができる。
【００１０】
従来トランクスは包装して吊り下げしたり、折り畳んで重ね合わせて陳列しているが、この考案によれば、着用状態で陳列（展示）できるので、購買者の理解を得易くなるものと考えられる。
【考案の効果】
【００１１】
この考案によれば、立体トルソーに鳩目を設けたので、衣服などを着用させた状態で支持杆での支持が容易となり、商品の理解（特に着用時）を容易にすることができる。
【００１２】
また、立体トルソーを縦割り半型に成型したので、比較的難しい凹凸表裏面であっても、成型が容易であり、かつ鳩目を任意の位置に固着し易い効果がある。
【００１３】
また鳩目をつけたことにより、立体型を支持杆で確実に支持できると共に、任意に並列展示できる効果がある。
【考案を実施するための最良の形態】
【００１４】
この考案は、衣服等を着用できる立体トルソーを縦に二分割した表面型と、裏面型で構成し、前記表面型と裏面型の適所に鳩目を固着すると共に、各型を合わせ、合わせ目を固着して立体トルソーを成型した。
【００１５】
前記における鳩目の固着位置については限定はないが、立体トルソーを支持する為の支持杆を挿通し、安定性よく支持できる位置とする。
【実施例】
【００１６】
この考案の実施例を図１、２に基づいて説明すると、所定寸法の合成樹脂板１、１ａを加圧成型し、表面型２と、裏面型３を成型し、ついで表面型２の脚部２ａと、裏面型３の脚部３ａと、胴部３ｂへ夫々鳩目４、４を固着する。ついで表面型２の合わせ目段部２ｂと、裏面型３の合わせ目３ｅを内外に重ねて、重ね部を固着（例えば接着剤により固着）すれば、この考案のトルソー５ができる（図１）。図中２ｃ、３ｃは頂板、２ｄ、３ｄは底板、９は表示紙貼着用凹入部である。
【００１７】
次に、前記トルソー５にトランクス６を装着し、陳列枠７の支持杆８を前記鳩目４、４に挿通すれば、トルソー５を安定して展示（陳列）させることができる（図２）。
【図面の簡単な説明】
【００１８】
【図１】（ａ）この考案の製造における流れ図、（ｂ）同じく表面型と裏面型の重なり構造を示す拡大断面図。
【図２】同じく使用状態の斜視図。
【符号の説明】
【００１９】
１、１ａ  合成樹脂板
２  表面型
３  裏面型
４  鳩目
５  トルソー
６  トランクス
７  陳列枠
８  支持杆
【図１】
0003106727.tif 000003
【図２】
0003106727.tif 000004
(57)【要約】      （修正有）【課題】主要部品ただ一つで柱と梁、胴差し等の横架材とを結合することが出来、組立作業の容易化、簡便化が計られ、生産が容易な木構造の梁受け金物を提供する。【解決手段】Ｌ字型の金物であってＬ字の一辺の面４は柱１に他の一辺の面７は梁２の下面にそれぞれボルト１４、１５あるいはねじ等により装着する梁受け金物３において、梁２の下面を支える面７を柱１側に延長し柱１の係合溝１２に係合する延長部８と、面７の他端を梁２側に折り曲げ梁の係合溝１３に係合する折り曲げ部９とを設けた梁受け金物３とすることにより、ボルト１４、１５を締結するのみで柱１と梁２を強固に結合することが出来る。【選択図】図１
0003106795.tif 000002
【実用新案登録請求の範囲】
【請求項１】
柱１と横架材である梁２胴差し等との接合部の直角面に装着せられる柱１の太さを越えない巾の板金よりなるＬ字型の金物であって、Ｌ字の一辺の平面４が縦方向の柱１に他の一辺の平面７が梁２の下面にそれぞれボルト１４、１５あるいは木ねじ等により装着せられる梁受け金物３に於いて、梁２の下面を支える面７を延長し柱１に当接せる面４から突出させて柱１に設けた係合溝１２に係合せしめる延長部８と、面７であって前記延長部８と反対の他端を梁２側に折り曲げ梁２に設けた係合溝１３に係合せしめる折り曲げ部９を設けた梁受け金物。
【考案の詳細な説明】
【技術分野】
【００１】  木造家屋の構造物である柱、梁、胴差し等が結合する部位に用いられる金物は種々ある。考案も多々ある。本考案はその金物に関する考案である。
【背景技術】
【００２】  柱と例えば梁の結合部の仕口は従来からかたぎ入れ短ほぞ差しとし羽子板ボルトで柱に対して梁を引寄せる構造が一般的である。また別には梁受け金物と云われる金物の提案がある。図３にその概略を示す。柱１６にねじ等により装着した梁受け金物１８が梁１７を下方から支え、更に梁１７にねじ等により装着した羽子板１９と柱１６側からのボルト２０の螺合により梁１７は引き寄せられ柱１６と梁１７は結合する。従って木部への仕口の加工は不要である。
【考案の開示】
【考案が解決しようとする課題】
【００３】  既に述べたように従来の梁受け金物によって柱と梁あるいは胴差し等の横架材を結合するためには羽子板ボルトを併用する必要があるが、梁受け金物と羽子板ボルトはそれぞれ独立した別部品であるので組立が煩雑である上、柱と横架材がこれらの部品を用いて組立つためには部品精度と共に相互の位置関係の精度が求められる。
【課題を解決するための手段】
【００４】  柱１と横架材である梁２あるいは胴差し等との接合部の直角面に装着する柱１の太さを越えない巾の板金よりなるＬ字型の金物であって、Ｌ字の一辺の平面４を縦方向の柱１に他の一辺の平面７を梁２の下面にそれぞれボルト１４、１５あるいは木ねじ等により装着する梁受け金物３に於いて、梁２の下面を支える面７を延長し柱１に当接する面４から突出させて柱１に設けた係合溝１２に係合する延長部８と、梁２の下面を支える前記面７の延長部８と反対の他端を梁２側に折り曲げ梁２に設けた係合溝１３に係合する折り曲げ部９を設けた梁受け金物３により、前記提起の課題は解決する。
【考案の効果】
【００５】  本考案によれば、主要部品ただ一つで柱と梁、胴差し等の横架材とを結合することが出来る。具体的には柱１にボルト１４で、梁２にボルト１５で梁受け金具３を固定する作業のみで柱１と梁２は固く結合する。金物を装着する構造に従来の羽子板ボルトの機能が含まれているので、羽子板ボルトは不要なのである。組立作業の容易化、簡便化が計られる考案である。また、金物は一つであるので本来部品相互間の問題は生じにくく、生産は容易である。
当然のことながら木部へのほぞ加工は不要である。
【考案を実施するための最良の形態】
【００６】  以下本考案の実施形態について図面にて説明する。
【構成】
図１は本考案の実施例の梁受け金物と柱、梁の説明のための斜視図である。
図２は本考案の実施例の梁受け金物を柱と梁に組付けた状態の断面図である。
図１と図２を参照。１は柱、２は梁、３は本考案の梁受け金物。梁受け金物３は概ねＬ字型を成しておりＬ字の一辺の面４の中程には、Ｌ字の外側面にボス５があって中心にはねじ穴６がある。他の一辺の面７は面４に直角に乗る形態に形成され、その一端は面４より更に先に延びて延長部８が設けられ、一方面７の他端はＬ字の外側方向に直角に折り曲げられた折り曲げ部９が設けられている。また面７の中程にもＬ字の外側面にボス１０があって中心にはねじ穴１１がある。面４と面７は当然のことながら強固に溶接等により固着している。
柱１には梁受け金物３の延長部８が係合する係合溝１２が設けられており、延長部８と係合溝１２はややきつめに嵌合する設定である。同様に梁２にも折り曲げ部９が係合する係合溝１３が設けられておりややきつめに嵌合する。ねじ穴６のあるボス５、ねじ穴１１のあるボス１０は柱１、梁２の穴に嵌り該穴に続く貫通穴を通ってボルト１４、１５がねじ穴６、１１に螺合する。延長部８及び折り曲げ部９とそれぞれの係合溝１２、１３との係合が梁受け金物３の装着方向、位置を決定し、またボルト１４、１５の回り止めともなる。
【作用】
【００７】  以上の構成の説明で既に自明のごとく、ボルト１４、１５を締結することにより梁受け金物３は柱１に対して梁２を強固に結合することが出来る。具体的な組立手順を説明すると、まず柱１に梁受け金物３をボルト１４にて概略固定し梁２の受け面となる面７を構成しそこに上方から梁２を柱１に沿って滑り込ませボルト１５にて梁受け金物３と梁２を固定し、更に柱１のボルト１４を本締めすることにより柱１に対して梁２は引き寄せられ強固に結合することになる。柱１を貫通したボルト１４を締め付けることにより梁受け金物３を固定すると同時に柱１に対して梁２を引き寄せて結合することが出来る。梁受け金物３を柱１、梁２に装着するのにボルト１４、１５である必要はない。例えば面４及び面７側からボルト、木ねじ等により柱１、梁２に装着する方法であっても同様な結果が得られることは明らかであろう。従来の方法では図３に示すように梁１７を下方から受け支える梁受け金物１８を柱１６にねじ等により固定して梁１７を金物１８に嵌め更に梁１７を柱１６に引き寄せる羽子板１９をねじ等により梁１７に固定し、しかる後柱１６の貫通穴からボルト２０を羽子板１９に螺合して梁１７を柱１６に引き寄せるという手順となる。
以上説明したごとく組立の容易化、簡便化が計られる考案であり、また金物は一つであるので本来部品組立相互間の問題は生じにくく管理すべき寸法も明確な考案と云うべきである。
【図面の簡単な説明】
【図１】本考案の実施例の梁受け金物と柱、梁の関連を説明するための斜視図である。
【図２】本考案の実施例の梁受け金物を柱と梁に組付けた状態の断面図である。
【図３】従来技術の梁受け金物の説明のための斜視図
【符号の説明】
１、  柱
２、  梁
３、  梁受け金物
４、  面
５、  ボス
６、  ねじ穴
７、  面
８、  延長部
９、  折り曲げ部
１０、ボス
１１、ねじ穴
１２、係合溝
１３、係合溝
１４、ボルト
１５、ボルト
【図１】
0003106795.tif 000003
【図２】
0003106795.tif 000004
【図３】
0003106795.tif 000005
(57)【要約】      （修正有）【課題】食用できない頭と尾の部分を予め切り落として胴部のみの開き干物として調理を便利にすると共に食後の廃棄物を少なくできる他、日持ちがよく、衛生的な真空包装された胴部干物を提供するものであり、更に、外袋表面に表示された頭部と尾部の中間透明部から包装されている干物が頭と尾のない胴体干物であることを一見して識別できる体裁の良い包装開き干物を提供するものであり、また、更に尾数と魚種の判別が容易にできる包装開き干物を提供する。【解決手段】表面５の中央部に魚の胴部に相当する透明部６を挟んで両側に夫々１尾以上の魚の頭部７と尾部の図柄８を印刷表示した外袋４内に、頭と尾を除去して常法によって加工した１尾以上の開き干物１Ａ，１Ｂを透明合成樹脂製袋内に挿入して真空包装した内袋３を魚体の胴部が外袋の透明部に位置するように収容してなるものである。【選択図】図４
0003106796.tif 000002
【実用新案登録請求の範囲】
【請求項１】
開き干物にできる魚体の頭と尾を除去して加工した胴体干物を合成樹脂製の透明袋内に真空包装した内袋と、表面に魚の頭部と尾部の図柄が胴部中間透明部を挟んで表示された外袋とからなり、前記内袋内の胴体干物が前記外袋内の中間透明部に位置されて収容されてなる包装開き干物。
【請求項２】
外袋の魚の頭部と尾部の図柄の数が内袋内の尾数に対応して表示されてなる請求項１記載の包装開き干物。
【請求項３】
外袋の魚の頭部と尾部の図柄のうち、少なくとも頭部の図柄が内袋に収容された魚種を表示する図柄であることを特徴とする請求項１又は２記載の包装開き干物。
【請求項４】
内袋内の胴体干物が台板上に載置されて真空包装されてなる請求項１乃至３記載のいずれかの包装開き干物。
【考案の詳細な説明】
【技術分野】
【０００１】
この考案は、外袋の表面に表示した魚の頭と尾の間に、真空包装された開き干物の胴部のみを位置させて包装した包装開き干物に関する。
【背景技術】
【０００２】
魚の開き干物は、頭と尾が付いた魚体のままで加工され、運搬及び販売されているので不経済であり、食卓にもその姿で提供されるから食事中も食べ易くない上、食後の廃棄物も多くなり不便である。
本出願人は、家庭内や食卓に廃棄物を残さず、更に複数の低塩干物を好みに合わせて選択できて小人数の家庭に好適な包装切り身干物を提案した。（特許文献１参照）
【０００３】
この製品は、複数の干物を組合わせて食することができて例えば高齢者の家庭などでは便利であるが、一般家庭には量的に物足らなさがある。
また、一般に、頭と尾を切り落とした包装開き干物は、見栄えが良くない他、魚種を見分けにくい欠点がある。更に、包装開き干物の包装は、内部の魚体の品質や尾数を購買者に見やすくするため、中央部にできるだけ大きな透明部を設けることが好ましく、このため印刷部分にも制限がある。    
【０００４】
【特許文献１】実用新案登録第３１０２８９５号公報
【考案の開示】
【考案が解決しようとする課題】
【０００５】
本案は、食用できない頭と尾の部分を予め切り落として胴部のみの開き干物として調理を便利にすると共に食後の廃棄物を少なくできる他、日持ちがよく、衛生的な真空包装された胴部干物を提供するものであり、更に、外袋表面に表示された頭部と尾部の中間透明部から包装されている干物が頭と尾のない胴体干物であることを一見して識別できる体裁の良い包装開き干物を提供するものであり、また、更に尾数と魚種の判別も容易にできる包装開き干物を提供するものである。
【課題を解決するための手段】
【０００６】
本案包装開き干物は、表面中央部に魚の胴部に相当する透明部（無印刷部）を挟んで両側に夫々１尾以上の魚の頭部と尾部の図柄を印刷表示した外袋と、この外袋内に、頭と尾を除去して常法によって加工した１尾以上の開き干物を透明合成樹脂製袋内に挿入して真空包装した内袋を魚体の胴部が外袋の透明部に位置するように収容してなるものである。
頭部と尾部の図柄の数を包装する魚体数に対応させたり、頭部の図柄を包装する魚種を表わす図柄にすることによって購買者の選択を一層容易にすることもできる。
なお、内袋は一面側に台板付の内袋を用いるか又は内袋内に保形用の合成樹脂製台板を用意すれば開き干物の挿入が容易になる上、外袋内での位置が安定する。
【考案の効果】
【０００７】
真空包装によって胴部干物と台板及び内袋のフィルムは一体化されて開き胴部干物は固定され、胴部干物が外袋の中央透明部に位置しているから干物を直接見ることができる上、頭部側と尾部側を直感できて便利であり、外観上体裁もよい。
また、内袋内で魚体の一部が重なっている場合ても外袋の図柄の数で尾数を認識できるので安心して購入できる。
本案品は、内袋と外袋で２重に包装されているから衛生的であり、日持ちがよくなる。
【考案を実施するための最良の形態】
【０００８】
原料となるサンマ、エボダイ、アジなどの魚の頭、尾ヒレを切り落とした胴部を常法によって加工して胴体干物１Ａ，１Ｂとする。ここに常法とは前記特許文献に記載された低塩法ではなく、一般干物の製法をいう。
この干物を保形用台板２と共に内袋３内に挿入して真空包装する。（図１）
外袋４の表面５には、中央の胴部透明部（無印刷部）６の両側に魚頭の印刷図形７と尾部の印刷図形８が表示されて（図２）いて、この外袋内に真空包装された内袋３を挿入して封止する。（図３）
内袋内の尾数が複数の場合は、外袋表面の印刷表示も図４のように複数表示する。
【図面の簡単な説明】
【０００９】
【図１】内袋の上面図
【図２】外袋の外面図
【図３】本案品の外面図
【図４】複数尾収容の外面図
【符号の説明】
【００１０】
１Ａ，１Ｂ  胴体干物
２  台板
３  内袋
３Ａ  シール部
４  外袋
５  表面
６  胴部透明部
７  魚頭の印刷図形
８  尾部の印刷図形
９  開封縁
【図１】
0003106796.tif 000003
【図２】
0003106796.tif 000004
【図３】
0003106796.tif 000005
【図４】
0003106796.tif 000006
(57)【要約】      （修正有）【課題】変圧器の改良構造を提供する。【解決手段】本考案の変圧器の改良構造は、ボビン１のボビン槽１２両側に、それぞれ、縦方向に配列されたスロットを設け、鉄芯２の凹槽２１の四つの対角上に、それぞれ、差込片２２を設け、前記差込片２２を、前記ボビン１のスロット内に挿入して、前記ボビン１と前記鉄芯２を緊密に結合し、定位するので、ボビン１も緩みにくく、囲繞する銅線に接触あるいは衝突して、銅線を断線することがない。また、耐圧レベルを増加させ、変圧器の高圧端と鉄芯沿面間の距離が増加するので、回路が切断される現象を防止することが出来る。【選択図】図３
0003106752.tif 000002
【実用新案登録請求の範囲】
【請求項１】
変圧器の改良構造であって、両端に端子が設けられたボビン中間の縦方向に配列されたボビン槽内に銅線を囲繞し、前記ボビンを鉄芯の凹槽に挿入して設置結合し、前記ボビン中間のボビン槽両側には、それぞれ、スロットを設け、前記鉄芯中間の凹槽の四つの対角上に、それぞれ、差込片を設置し、前記差込片を、前記ボビンのスロット内に挿入することで、前記ボビンと前記鉄芯を緊密に結合して位置決めすることを特徴とする変圧器の改良構造。
【考案の詳細な説明】
【技術分野】
【０００１】
本考案は、変圧器の改良構造に関するものであって、特に、組み立て、定位置決めが容易な小型変圧器で、銅線が衝撃によって断線するのを回避すると共に、耐圧レベルを向上させ、回路が切断される現象を防止できるようにした変圧器の改良構造に関するものである。
【背景技術】
【０００２】
一般に、コンピュータ設備に幅広く適用されている小型変圧器は、図７で示されるように、ボビン１００の両側に、高周波或いは射出成形等の方式により、複数の端子が連接されておりし、ボビン１００中間の縦方向に配列されたボビン槽１０１内には、銅線４００が反復して囲繞されている。ボビン１００は、銅線４００が囲繞された後、鉄芯２００の凹槽２０１に装着されて定位する。
【０００３】
公知の変圧器では、ボビン１００を鉄芯２００の凹槽２１０内に装着する場合、いかなる嵌合・接合或いは挿入のための固設構造を有していないために、ボビン１００が緩動しやすく、また、囲繞した銅線４００に接触或いは衝突して、銅線４００を断線してしまう。よって、業者は、ボビン１００上に銅線４００を囲繞した後、外周を透明のテープで被覆して、鉄芯２００の凹槽２０１に挿置して、嵌合密度を増加させるようにしている。しかし、この方式は、変圧器の耐圧レベルを低下させると共に、変圧器の高圧端と鉄芯２００沿面間の距離が減少し、回路が切断されると言う不具合があった。
【考案の開示】
【考案が解決しようとする課題】
【０００４】
本考案は新型の変圧器を提供し、従来の変圧器の問題点を改善することを目的とする。
【課題を解決するための手段】
【０００５】
本考案の変圧器の改良構造にかかる請求項１の考案は、両端に端子が設けられたボビン中間の縦方向に配列されたボビン槽内に銅線を囲繞し、前記ボビンを鉄芯の凹槽に挿入して設置結合し、前記ボビン中間のボビン槽両側には、それぞれ、スロットを設け、前記鉄芯中間の凹槽の四つの対角上に、それぞれ、差込片を設置し、前記差込片を、前記ボビンのスロット内に挿入することで、前記ボビンと前記鉄芯を緊密に結合して位置決めすることを特徴とする。
【考案の効果】
【０００６】
本考案の変圧器の改良構造にかかる小型変圧器は、耐圧レベルを増加させ、回路が切断される現象を防止するという利点がある。
【考案を実施するための最良の形態】
【０００７】
以下、本考案の実施形態を示す実施例について図を参照して説明する。
【実施例】
【０００８】
図１〜図６で示されるように、本考案の変圧器の改良構造の実施例によれば、小型変圧器のボビン１両側は、高周波或いは射出成形等の方式により、複数の端子１１を連接し、ボビン１中間で縦方向に配置されたボビン槽１２内は、銅線が反復して囲繞され、その後、ボビン１を鉄芯２の凹槽２１に挿置したものであり、その特徴とするところは、以下の通りである。
【０００９】
ボビン１の中間のボビン槽両側には、それぞれ、縦方向にスロット１３（図４で示される）を設ける。図３及び図５を合わせて参照すると、鉄芯２の中間部の凹槽２１の四つの角部には、それぞれ、差込片２２が形成されていて、各差込片２２は、それぞれ、ボビン槽１２のスロット１３内に挿入されて、ボビン１と鉄芯２を緊密に結合し、定位する（図１及び図６で示される）。
【００１０】
本考案は、差込片２２をスロット１３に挿入固定する構造により、鉄芯２とボビン１の組み立てが容易で、定位後、ボビン１が緩動しにくく、囲繞する銅線に接触・衝突して、銅線を断線するということがない。これにより、本考案のボビン１に銅線を囲繞した後、従来行なっていたような透明のテープを被覆する必要がなく、緊密に鉄芯２と一体に結合し、よって、本考案は耐圧レベルを増加させるだけでなく、変圧器の高圧端と鉄芯２の沿面間の距離を増加させて、回路が切断される現象が発生しない。
【００１１】
更に、本考案の鉄芯２の背面は、磁気隔離片（ニッケル、スズ片等）を設けているので、電磁場（EMI）干渉を防止することができる。
【００１２】
従来では、小型変圧器ボビンと鉄芯を結合する場合、スロットと挿入片がない設計であるのに対し、上述のように、本考案の変圧器の改良構造は、ボビンのボビン槽両側に縦方向にスロットを設け、鉄芯の四つの角部形成された差込片を該スロットに挿入して結合固定させるようにしたので、組み立てが容易であると共に、定位後、ボビンも緩みにくく、従って、囲繞した銅線に衝突して銅線を断線するということがない。よって、耐圧レベルを増加させ、回路が切断される現象を防止することが出来る。
【図面の簡単な説明】
【００１３】
【図１】本考案の変圧器の改良構造の実施例を示す全体斜視図、
【図２】図１の部分拡大図、
【図３】図１の分解斜視図、
【図４】図３の要部の部分拡大図、
【図５】図３の要部の部分拡大図、
【図６】図３の組み付け状態の平面図、
【図７】従来の小型変圧器製品の分解斜視図である。
【符号の説明】
【００１４】
１…ボビン
１１…端子
１２…ボビン槽
１３…スロット
２…鉄芯
２１…凹槽
２２…挿入片
１００…ボビン
１０１…ボビン槽
２００…鉄芯
２０１…凹槽    
３００…端子
４００…銅線
【図１】
0003106752.tif 000003
【図２】
0003106752.tif 000004
【図３】
0003106752.tif 000005
【図４】
0003106752.tif 000006
【図５】
0003106752.tif 000007
【図６】
0003106752.tif 000008
【図７】
0003106752.tif 000009
(57)【要約】      （修正有）【課題】簡易製本、薄表紙を使用している本などは長期に渡って使用するたびに背表紙に負担をかけそこから分解、破損していく、それを防ぐようなバインダーを提供する。【解決手段】表紙を取ったファイル用圧縮固定式バインダー１の圧縮する金具にスポンジ２と厚紙４を付け表紙と裏表紙を圧縮、固定することによりページの分解、破損を防げるようにした。【選択図】図２
0003106744.tif 000002
【実用新案登録請求の範囲】
【請求項１】
ファイル用の圧縮固定式バインダー１の表紙を取り、スポンジ２、厚紙４を付けたバインダー
【考案の詳細な説明】
【技術分野】
【０００１】この考案は、ファイル用圧縮固定式バインダー１にスポンジ２、厚紙４を付けて、表紙を排除したバインダーに関するものである
【背景技術】
【０００２】
【考案の開示】
【考案が解決しようとする課題】
【０００３】本考案は、一般的に雑誌、文庫本と称される本、簡易製本、薄表紙を用いた本３を長く使用する際、背表紙の方から分解、破損の原因になっていた、その欠点をなくすために、背表紙に負担をかけないようにして、分解、破損を防ぐことを課題として研究をすすめた
【課題を解決するための手段】
【０００４】背表紙からの分解、破損を防ぐにはファイル用の圧縮固定式バインダーの表紙を取りバインダー１だけを用いることである、本の形状を損なわないために、どのようなのが理想かを実験と理論の結果、圧縮する金具の部分にスポンジ２厚紙４を付けることが最上であることを発見した
【考案の効果】
【０００５】本考案を使用することによって、ページの分解、破損を防ぎ使用時の本の耐久性を上げるので本の寿命が長くなる、またスポンジ２を使用しているので、表紙にきずを付けることがない、なお本考案は携帯するのに非常に優れた大きさなので、どこでも使用できる
【考案を実施するための最良の形態】
【０００６】以下、本考案の実施の形態について説明する、表紙を外したファイル用圧縮固定式バインダー１の紙を圧縮する金具に、スポンジ２と厚紙４を付ける
【実施例】
【０００７】本考案は、以上のような構成であるから本の表紙と裏表紙を圧縮して、背表紙に負担を掛けずにページをめくることができ、しかも圧縮する金具にスポンジ２と厚紙４を用いることにより本の表紙、裏表紙をきずつけることがない
【産業上の利用可能性】
【０００８】本考案は、一般的に雑誌、文庫本と称される簡易製本、薄表紙を用いた本３に使用することによりページの分解、破損などを防ぐ事を考案する
【図面の簡単な説明】
【０００９】
【図１】  簡易製本、薄表紙を用いた本を挟んで使用した時の全体図である
【図２】  使用前の全体図である
【符号の説明】
【００１０】  １  表紙を取った圧縮固定式バインダー
２  スポンジ
３  簡易製本、薄表紙を用いた本
４  厚紙
【図１】
0003106744.tif 000003
【図２】
0003106744.tif 000004
(57)【要約】      （修正有）【課題】カバーの表面に凹凸をつけて、巻いたタオルや布が乱れないようにしたカバーを提供する。【解決手段】  布地を内側が表になるよう片側は折り返し、枕が入るように袋に縫い、片側は枕が出ないように形づくってある覆う布を２重にしてまわりを縫い、ひっくり返しました。巻いたタオルや布が乱れないようにカバーと覆う布の表面にタックで凹凸をつけました。カバーの表側にタオルや布を巻いて覆い布とカバーの間に挟みこみます。また、巻いたタオルや布を整えやすいように、覆い布は形づくってあります。枕が出ないようにカバーと覆い布の両方に両面ファスナーを縫い付け、裏側にポケットをつけてあります。【選択図】図１
0003106745.tif 000002
【実用新案登録請求の範囲】
【請求項１】
カバーの表面に凹凸をつけて、巻いたタオルや布が乱れないようにしたカバーです。
【考案の詳細な説明】
【考案の詳細な説明】
【考案が解決しようとする課題】
【０００１】    枕やクッションのカバーなどは、汗でよごれたり、洗髪をした後、寝ると濡れたりしました。そのため、病院などでは枕にタオルを巻いたりしましたが、タオルを枕に巻くだけでは何時間かたつと乱れて見苦しくなりました。
【考案を解決するための手段】
【０００２】  布地を内側が表になるよう片側は折り返し、枕が入るように袋に縫い、片側は枕が出ないように形づくってある覆う布を２重にしてまわりを縫い、ひっくり返しました。巻いたタオルや布が乱れないようにカバーと覆う布の表面にタックで凹凸をつけました。カバーの表側からタオルや布を巻いて覆い布とカバーの間に挟みこみます。また、巻いたタオルを整えやすいように、覆い布は形づくってあります。枕が出ないようにカバーと覆い布の両方に両面ファスナーを縫い付け、裏側にポケットをつけてあります。
【考案の効果】
【０００３】このカバーは市販のタオルが使え、とても便利です。何時間たっても巻いたタオルや布は乱れませんので美しさが保てます。
【図面の簡単な説明】
【図１】覆い布を開けた状態の斜視図である。
【図２】カバーの表側の斜視図である。
【図３】カバーの裏側の斜視図である。
【図４】カバーの断面図である。
【図５】タオルを巻いた状態の裏側の参考図である。
【図６】タオルを巻いた状態の表側の参考図である。
【符号の説明】
１両面ファスナー    ２タック    ３ポケット    ４ボタン    ５タオル
【図１】
0003106745.tif 000003
【図２】
0003106745.tif 000004
【図３】
0003106745.tif 000005
【図４】
0003106745.tif 000006
【図５】
0003106745.tif 000007
【図６】
0003106745.tif 000008